(57)【要約】【課題】発光素子と受光素子を有する、光電式の対象物検知センサ４のフィルタ７とセンサ本体５を一体構造とし、センサを設置するケーシング１との固定方法で、着脱が容易な締結部材８で固定可能な、対象物検知センサを提供する。【解決手段】センサケース６とフィルタ７を一体成形し、センサ本体５を挿入する。センサケース６に締結部材８との係止突起６ｆを設けて、センサケース６と締結部材８でケーシング１を挟みこみ固定する。締結部材８にはスナップフィットを設け、着脱を容易にする構造とする。【選択図】　　図１２
2004044281.tif 000002
【特許請求の範囲】
【請求項１】
対象物を検知するための窓孔をもつケーシングに装着される対象物検知センサであって、該対象物検知センサを、発光素子と受光素子を備えたセンサ本体と該センサ本体と一定の間隔を隔てて設置されるフィルタとで構成し、前記センサ本体は前記フィルタに一体的に固定され、前記フィルタは前記ケーシングの窓孔に、フィルタ若しくはセンサ本体に対し着脱可能な締結部材を用いて固定したことを特徴とする衛生洗浄装置の対象物検知センサ。
【請求項２】
前記フィルタの前面にケーシングの窓孔よりも大きな縁部を形成し、該縁部と締結部材とでケーシングの窓孔周縁を挟着固定することでフィルタをケーシングに装着したことを特徴とする請求項１記載の衛生洗浄装置の対象物検知センサ。
【請求項３】
前記締結部材の着脱機構は、スナップフィットであることを特徴とする請求項１又は請求項２記載の衛生洗浄装置の対象物検知センサ。
【請求項４】
前記締結部材は、断面略コの字形状であることを特徴とする請求項１乃至請求項３記載の衛生洗浄装置の対象物検知センサ。
【請求項５】
前記固定の際、前記締結部材の柱部材の弾性力を利用し固定することを特徴とする、請求項１乃至請求項４記載の衛生洗浄装置の対象物検知センサ。
【発明の詳細な説明】
【０００１】
【発明の属する技術分野】
本発明は、便座に使用者が着座したことを検知する対象物検知センサに関するものである。
【０００２】
【従来の技術】
従来の衛生洗浄装置の対象物検知センサとしては、例えば特開２００１−３２３５１に開示されているものがある。この衛生洗浄装置の対象物検知センサ１１０を、図２３、図２４にて説明する。
【０００３】
対象物検知センサ１１０は、センサ本体１００と、センサ本体１００に嵌合するセンサケース１０１と、センサ本体１００と嵌合するフィルタ１０２から構成される。センサ本体１００とフィルタ１０２との間には、発光用空間を形成する発光部と、フィルタ１０２との間に受光用空間を形成する受光部が形成される。
【０００４】
図２３は、センサ本体１００、センサケース１０１、フィルタ１０２を一体に組み付けた状態である。センサ本体１００はセンサケース１０１の内側に装着される。
【０００５】
図２４は、一体に組み付けられた対象物検知センサ１１０を、窓孔１０６をもつ衛生洗浄装置のケーシング１０３に取付けたものである。対象物検知センサ１１０はフィルタ１０２に設けられたスナップフィットの爪部１０４よりケーシング１０３の窓孔１０６に挿着される。このとき検知窓孔１０６に段部１０５を設けることにより、対象物検知センサ１１０とケーシング１０３は段差が無く取り付けられる構成となっている。
【０００６】
【発明が解決しようとする課題】
しかしながら従来の構成では、衛生洗浄装置のケーシング１０３に設けられた窓孔１０６と対象物検知センサ１１０の固定に、フィルタ１０２に設けられたスナップフィットによる固定のため、メンテナンス作業の取り外し作業の際にフィルタ１０２のスナップフィットの破損が起こり、フィルタ全体の交換をしなければならず、また、取り外す回数によっては、スナップフィットの磨耗からケーシング１０３との嵌合が弱くなり、正確な対象物検知が行えなくなった。
【０００７】
本発明は、前記課題を解決するため、フィルタに設けられたスナップフィットを、別体の着脱自在で簡易形状の締結部材で形成することで、コスト的にも優れる対象物検知センサを提供する。
【０００８】
【課題を解決するための手段およびその作用・効果】
本発明の請求項１は、対象物を検知するための検知窓をもつケーシングに装着される対象物検知センサであって、発光素子と受光素子を備えたセンサ本体と、該センサ本体と一定の間隔を隔てて設置されるフィルタが一体構造であることにおいて、前記フィルタと前記センサ本体が、前記ケーシングに、着脱可能な締結部材を用いて固定されるので、スナップフィットの破損が起こっても、安価な前記締結部材のみ交換で対応できるようになる。
【０００９】
本発明の請求項２は、対象物検知センサのフィルタの前面にケーシングの窓孔よりも大きな縁部を形成し、該縁部と締結部材とでケーシングの窓孔周縁を挟着固定することでフィルタをケーシングに装着したことにより、固定後対象物検知センサとケーシングの間に段差を無くすことができる。
【００１０】
本発明の請求項３は、前記締結部材の着脱機構を、スナップフィットにするので、着脱がスムーズに行われる。
【００１１】
本発明の請求項４は、前記締結部材は、断面略コの字形状であることを特徴とするので、締結部材を複雑な形状にしなくても固定ができる。
【００１２】
本発明の請求項５は、前記固定の際、締結部材の柱部材の弾性力を利用し固定する事で、ガタツキを防止する事が可能となる。
【００１３】
【発明の実施の形態】
以下、本発明の実施形態を、図を用いて説明する。
【００１４】
図１は、本発明の対象物検知センサ４を具備した衛生洗浄装置Ａを示す斜視図であり、衛生洗浄装置Ａは、局部洗浄用のノズル装置、洗浄水の加熱供給系等の機能部及びその制御部（いずれも図示せず）を収納したケーシング１と、ケーシング１に開閉可能に取り付けた便座２及び便蓋３を具備して構成されている。便座２は、ヒータを有した暖房便座である。
【００１５】
対象物検知センサ４は、ケーシング１の側部から前方に向けて延出形成した袖部１ａの使用者と対応する面に配設したものである。
【００１６】
図２は、対象物検知センサ４の斜視図である。対象物検知センサ４は、光電式センサからなるセンサ本体５（図７参照）と、センサ本体５を収納するセンサケース６と、フィルタ７で概略構成されていて、センサケース６とフィルタ７は、光を透過させない（非透過性の）樹脂によって一体に形成されており、センサケース６は、後述する締結部材との係り止め用の係止突起６ｄ、衛生洗浄装置のケーシング１との締結時の位置決め用リブとして係止リブ６ｆが構成している。
【００１７】
図３は、対象物検知センサ４の正面図である。対象物検知センサ４は光電式センサであるため、赤外線を投射する発光部と受光部用に光透過性樹脂からなる透過窓７ａ、７ｂが設けられている。
【００１８】
図４は、対象物検知センサ４の背面図である。蓋体５ｆは、万一、衛生洗浄装置のケーシング１内への水滴等の浸水があってもセンサ本体５の回路基板５ｄ（図８参照）への被水を防ぐ為にセンサ本体５に設けられている。
【００１９】
図５、図６は、対象物検知センサ４の側面図である。
【００２０】
図７は、対象物検知センサ４の縦断面である。対象物検知センサ４は、センサケース６及びフィルタ７に透過窓７ａ、７ｂとセンサ本体５が配置され、センサ本体５は、センサ機能部を覆うハウジング５ｅと蓋体５ｆで形成されている。
【００２１】
図８は、対象物検知センサ４の横断面である。このようにセンサ本体５は、赤外線を投射する発光素子（例えば赤外線ＬＥＤ）５ａと該発光素子５ａから投射された赤外線を受光する受光素子（例えば、ＰＳＤ：Ｐｏｓｉｔｉｏｎ　Ｓｅｎｓｉｔｉｖｅ　Ｄｅｖｉｃｅ）５ｂと、発光素子５ａ，受光素子５ｂと制御部（図示せず）とを接続するコネクタ５ｃと、発光素子５ａ，受光素子５ｂ及びコネクタ５ｃを実装した前記回路基板５ｄを収納するハウジング５ｅ、蓋体５ｆとを具備して構成されている。
【００２２】
図９〜図１３にて、衛生洗浄装置のケーシング１と対象物検知センサ４の固定方法を説明する。
【００２３】
図９において、対象物検知センサ４を矢印で示す方向から衛生洗浄装置の袖部１ａに設けられている、窓孔１ｂに挿入する。
【００２４】
そして、図１０、図１１で示すように、対象物検知センサ４を窓孔１ｂに、フィルタ７の外周縁（窓孔１ｂより大きい縁部）７ｃを窓孔周縁の段部１ｃと当接するまで挿入すると、フィルタ７と近接するセンサケース外周に設けられた係止リブ６ｆが、窓孔１ｂの内周縁と当接するので、センサケース６は窓孔１ｂに対してガタツキなく位置決めされる。
【００２５】
対象部物検知センサ４とケーシング１の固定は、図１２、図１３が示すように締結部材８を用いて行う。締結部材８は、図示するごとく断面略コの字形状で、スナップフィット爪片８ａと、着脱リブ８ｂで形成されている。
【００２６】
締結部材８は、図１２の白抜き矢印で示す方向から、センサケース６の係止突起６ｄとケーシング１の間に挿入する。スナップフィット爪片８ａより、センサケース６を挟み込み固定する。固定を解除する際、着脱リブ８ｂを用いて挿入方向とは逆方向に引く事により簡単に締結部材８は外れる構造となる。
【００２７】
前述の実施例では、締結部材８をセンサケース６に挟み込む方式であったが、図１４、図１５、図１６にて、実施例２として別方式を説明する
【００２８】
図１４は、実施例２の対象物検知センサ９の斜視図であり、フィルタ７、センサケース６、センサ本体５、係止リブ６ｆ、断面コの字形状の係止突起９ａにて構成している。
【００２９】
図１５、図１６において、対象物検知センサ４を白抜き矢印で示す方向から袖部１ａに設けられている窓孔１ｂに挿入する。締結部材１０には着脱固定用のスナップフィット爪片１０ｂと対象物検知センサ４の固定用の柱部１０ａで形成されている。締結部材１０の材質は樹脂等で、ある程度弾性を有している。この締結部材１０を矢印ａ、ｂ方向に弾性変形させて柱部１０ａを係止突起９ａのコの字の中に挿入することにより、スナップフィット爪片１０ｂが係止突起９ａに締結し柱部１０ａとケーシング１に形成された柱受部１ｄにより、対象物検知センサ４は固定される。
【００３０】
対象物検知センサ４は、締結部材１０によってケーシング１と固定されるが締結部材１０を挿入とは逆方向へ引くことによって、スナップフィット爪片１０ｂが外れことにより、固定は解除される。
【００３１】
実施例１、実施例２において締結部材８，１０のスナップフィット爪片８ａ，１０ｂは、センサケース６と係合するが、別方法ではケーシング１と締結部材のスナップフィット爪片８ａ，１０ｂが係合することが可能である。以下、実施例３として図１７、図１８、図１９にて説明をする。
【００３２】
図１７において、対象物検知センサ４を矢印で示す方向から袖部１ａに設けられている窓孔１ｂに挿入する。ケーシング１には、窓孔１ｂの他に段部１ｃ、後述する締結部材のスナップフィット係合突起１２ａとの係合用の切り欠き１ｅが形成されている。
【００３３】
対象部物検知センサ４とケーシング１の固定には、図１８、図１９、図２０に示すように締結部材１２を用いて行われる。締結部材１２は、断面略コの字形状で、スナップフィット係合突起１２ａ（図１９参照）と、着脱リブ１２ｂで形成されている。締結部材１２の材質は樹脂等で、ある程度弾性を有している。
【００３４】
締結部材１２は、図１８の白抜き矢印で示す方向からセンサケース６の係止突起６ｄとケーシング１の間に挿入する。スナップフィット係合突起１２ａより、ケーシング１の切り欠き１ｅにて係合し固定する。固定を解除する際、着脱リブ１２ｂを用いて挿入方向とは逆方向に引く事により簡単に締結部材１２は外れる構造となる。
【００３５】
図２１、図２２において弾性力を用いた固定方法の別実施例を説明する。図２１では、締結部材８の傾斜８ｃにて固定の際、センサケース６の係止突起（柱部材）６ｄをたわませることにより弾性力が発生し固定される。その他の構成は、前述の実施例１又は実施例３と同様である。
【００３６】
図２２は、締結部材１０の柱部（柱部材）１０ａを係合突起と袖部１ａとの距離を柱部１０ａの長さより短くする事で、柱部（柱部材）１０ａをたわませることにより弾性力が発生し固定させる（請求項５）。その他の構成は、実施例２と同様である（柱受部１ｄはなくてもかまわない）。これにより、ガタツキ無く、対象物検知センサ４が固定できる。
【００３７】
【発明の効果】
以上の説明によって明らかなように、本発明による衛生洗浄装置の対象物検知センサの固定構造によれば、メンテナンス作業の取り外し作業の際に締結部材のスナップフィットの破損が起きても、安価な締結部材のみ交換で対応できるようになる。
【図面の簡単な説明】
【図１】対象物検知センサを具備した衛生洗浄装置の斜視図
【図２】対象物検知センサの斜視図
【図３】対象物検知センサの正面図
【図４】対象物検知センサの背面図
【図５】対象物検知センサの左側面図
【図６】対象物検知センサの右側面図
【図７】対象物検知センサの縦断面図
【図８】対象物検知センサの横断面図
【図９】対象物検知センサを窓孔に取付ける状態を説明するための説明図
【図１０】対象物検知センサを窓孔に取付けた状態を背面から見た斜視図
【図１１】対象物検知センサを窓孔に取付けた状態を示す側面図
【図１２】対象物検知センサの締結部材を使い固定する状態を説明するための説明図
【図１３】対象物検知センサを窓孔に固定された状態を示す側面図
【図１４】実施例２の対象物検知センサの斜視図
【図１５】実施例２の対象物検知センサの締結部材を使い固定する状態を説明する説明図
【図１６】実施例２の対象物検知センサの締結部材を使い固定した状態を示す上面図
【図１７】実施例３の対象物検知センサを窓孔に取付ける状態を説明するための説明図
【図１８】実施例３の対象物検知センサを、締結部材を使い固定する状態を説明するための説明図
【図１９】実施例３の対象物検知センサの締結部材を説明するための説明図
【図２０】実施例３の対象物検知センサを窓孔に固定された状態を示す側面図
【図２１】実施例４の締結部材の柱部の弾性力による固定方法を示す図
【図２２】実施例４のフィルタケースの柱部の弾性力による固定方法を示す図
【図２３】従来の対象物検知センサを窓孔に固定する状態を説明するための説明図
【図２４】従来の対象物検知センサを窓孔に固定する状態を示す上面図
【符号の説明】
１　・・ケーシング
１ａ・・袖部
１ｂ・・窓孔
１ｃ・・段部
１ｄ・・実施例２の柱受部
１ｅ・・実施例３の切り欠き
２　・・便座
３　・・便蓋
４　・・対象物検知センサ
５　・・センサ本体
５ａ・・発光素子
５ｂ・・受光素子
５ｃ・・コネクタ
５ｅ・・ハウジング
５ｆ・・蓋体
６　・・センサケース
６ｄ・・係止突起
６ｆ・・係止リブ
７　・・フィルタ
７ａ・・透過窓
７ｂ・・透過窓
７ｃ・・縁部
８　・・締結部材
８ａ・・スナップフィット爪片
８ｂ・・着脱リブ
８ｃ・・傾斜リブ
９　・・対象物検知センサ
９ａ・・係合突起
１０・・締結部材
１０ａ・柱部
１０ｂ・スナップフィット爪片
１２・・締結部材
１２ａ・スナップフィット係合突起
１２ｂ・着脱リブ
【図１】
2004044281.tif 000003
【図２】
2004044281.tif 000004
【図３】
2004044281.tif 000005
【図４】
2004044281.tif 000006
【図５】
2004044281.tif 000007
【図６】
2004044281.tif 000008
【図７】
2004044281.tif 000009
【図８】
2004044281.tif 000010
【図９】
2004044281.tif 000011
【図１０】
2004044281.tif 000012
【図１１】
2004044281.tif 000013
【図１２】
2004044281.tif 000014
【図１３】
2004044281.tif 000015
【図１４】
2004044281.tif 000016
【図１５】
2004044281.tif 000017
【図１６】
2004044281.tif 000018
【図１７】
2004044281.tif 000019
【図１８】
2004044281.tif 000020
【図１９】
2004044281.tif 000021
【図２０】
2004044281.tif 000022
【図２１】
2004044281.tif 000023
【図２２】
2004044281.tif 000024
【図２３】
2004044281.tif 000025
【図２４】
2004044281.tif 000026